(57)【特許請求の範囲】
【請求項１】
パルス電流が給電されて尿道口の前部から肛門の後部に至る範囲内に向けて磁束を発生することにより、生体に誘起される渦電流で尿失禁の治療を行うためのコイルを空冷するための尿失禁治療用コイルの空冷装置において、
ボックス上板が電気絶縁性及び非磁性であるボックス内に、前記ボックス上板に沿って巻回されたコイルを収納し、
前記ボックス底板に第１の通気口を形成すると共に、この通気口にブロワを取付け、
前記ボックス側板の互いの対面領域に、第２の通気口をそれぞれ形成したことを特徴とする尿失禁治療用コイルの空冷装置。
【請求項２】
第２の通気口の高さ位置が、コイルの高さ位置もしくはその上方に設定されていることを特徴とする請求項１記載の尿失禁治療用コイルの空冷装置。
【請求項３】
ボックス上板が凹曲面状に形成され、コイル上面がボックス上板に沿って傾斜していることを特徴とする請求項１記載の尿失禁治療用コイルの空冷装置。
【請求項４】
パルス電流が給電されて尿道口の前部から肛門の後部に至る範囲内に向けて磁束を発生することにより、生体に誘起される渦電流で尿失禁の治療を行うためのコイルを空冷するための尿失禁治療用コイルの空冷装置において、
ボックス上板が電気絶縁性及び非磁性であるボックス内に、前後に前記ボックス上板に向かう側脚部を有し、かつコイルが巻回されたコアを収納し、
前記ボックス底板に第１の通気口を形成すると共に、この通気口にブロワを取付け、
前記ボックス側板に第２の通気口を形成し、前記コイル及び前記コアを経由して前記第１の及び前記第２の通気口間に空気流路を形成したことを特徴とする尿失禁治療用コイルの空冷装置。
【請求項５】
コアが、コイルが巻回された中央脚部を前後の側脚部間に有するＥ形であり、
ボックス側板の第２の通気口が、少なくとも前記ボックス側板の互いの対面領域にそれぞれ形成されていることを特徴とする請求項４記載の尿失禁治療用コイルの空冷装置。
【請求項６】
第２の通気口の高さ位置が、コイルの高さ位置もしくはその上方に設定されていることを特徴とする請求項４又は請求項５記載の尿失禁治療用コイルの空冷装置。
【請求項７】
前後の側脚部が、ボックスからこのボックス上板よりも高い位置に突出していることを特徴とする請求項４乃至請求項６のうちいずれか記載の尿失禁治療用コイルの空冷装置。
【請求項８】
コイルを構成する導電体が、その全周に隙間を置くように巻回されていることを特徴とする請求項１乃至請求項７のうちいずれか記載の尿失禁治療用コイルの空冷装置
【請求項９】
コイルに、放射方向へ放熱フィンを取付けたことを特徴とする請求項１乃至請求項８のうちいずれか記載の尿失禁治療用コイルの空冷装置。
【請求項１０】
コアに、放射方向へ放熱フィンを取付けたことを特徴とする請求項４乃至請求項９のうちいずれか記載の尿失禁治療用コイルの空冷装置。
【請求項１１】
ボックス自体が椅子として機能し得るように、ブロワが床面から離間した状態で前記ボックスを床面に据置く脚部を前記ボックス底板に下設したことを特徴とする請求項１乃至請求項１０のうちいずれか記載の尿失禁治療用コイルの空冷装置。
【請求項１２】
椅子の脚部及び肘掛けを構成する両側の側部間に取付けられた着座部にボックスを装着し、
両側の前記ボックス側板及び対面する前記側部間にそれぞれダクトを形成すると共に、前記ダクト底板にブロワを配置し、
前記着座部の両側の側端部に、前記ダクトに連通する切欠を形成し、
前記側部の前後方向の中間領域における前記ブロワの側方領域に、通気用切欠をさらに形成したことを特徴とする請求項１乃至請求項１１記載の尿失禁治療用コイルの空冷装置。
【請求項１３】
コイルをパイプ状導電体で構成し、この導電体の両端部をボックス側面に接続し、前記両端部の一方を大気に解放させ、他方にブロワを取付けたことを特徴とする請求項１乃至請求項１２のうちいずれか記載の尿失禁治療用コイルの空冷装置。
【発明の詳細な説明】
【０００１】
【発明の属する技術分野】
本発明は、パルス電流が給電されて尿道口の前部から肛門の後部に至る範囲内に向けて磁束を発生することにより、生体に誘起される渦電流で尿失禁の治療を行うためのコイルを空冷するための尿失禁治療用コイルの空冷装置に関するものである。
【０００２】
【従来の技術】
本出願人は特開平９−２７６４１８号公報により、室内に据置かれるコイル据置具に設けられた繰返しパルス状の磁束を発生する磁気刺激コイルを患者の腰から下肢に至る範囲内の部位にセットさせて、体内に侵入させた磁束により、骨盤底筋群、陰部神経等を渦電流で刺激させる尿失禁治療装置を提案した。その際、充分な磁束を発生させるには、コイルに供給する電流を大きくする必要があり、その発熱による患者の低温もしくは高温やけどを防止するため、また温度上昇に伴うコイルの直流抵抗の増大で効率が低下するのを防止するために、コイル中に水道水を循環させる冷却装置を提案し、またファン或はペルチエ素子を用いて冷却し得ることも示唆した。
【０００３】
【発明が解決しようとする課題】
しかしながら、大きなコイル電流が必要なために、コイルの発熱も非常に大きく、この発熱によるコイルの温度上昇及び渦電流によるコイルの温度上昇を抑えるためには、水道水を循環させたり或はペルチエ素子を用いる装置は構造が嵩張る点、所要電力及びコストの点で課題が残され、また単にファンをコイルもしくはコア付コイルの側方もしくは前後に配置して一定方向から空気を吹付けるだけでは充分な冷却効果を得るのは困難である。
【０００４】
本発明は、このような点に鑑みて、ブロワを用いて効率よく強制冷却し得る尿失禁治療用コイルの空冷装置を提供することを目的とする。
【０００５】
【課題を解決するための手段】
本発明は、この目的を達成するために、空芯コイルの場合、請求項１により、パルス電流が給電されて尿道口の前部から肛門の後部に至る範囲内に向けて磁束を発生することにより、生体に誘起される渦電流で尿失禁の治療を行うためのコイルを空冷するための尿失禁治療用コイルの空冷装置において、ボックス上板が電気絶縁性及び非磁性であるボックス内に、ボックス上板に沿って巻回されたコイルを収納し、ボックス底板に第１の通気口を形成すると共に、この通気口にブロワを取付け、ボックス側板の互いの対面領域に、第２の通気口をそれぞれ形成したことを特徴とする。
【０００６】
コイルがボックス上板に沿って巻回されることにより、ボックス上板から上方へ向けて磁束を発生させ得る。ボックス上板が電気絶縁性及び非磁性であることにより、着座した患者はコイルに対して絶縁され、また発生した磁束がボックス内に遮蔽されることはない。ブロワの吸引或は吐出により、ボックス底板及びボックス側板の通気口間にコイル周囲を通過する空気流路が形成される。
【０００７】
ボックス底板に向かうソレノイド状コイルの場合に効率よく空冷するには、  請求項２により、第２の通気口の高さ位置がコイルの高さ位置もしくはその上方に設定される。ボックス上板を患者が着座する部位の形状に対応して凹曲面状に形成する際に、磁束を効率良く集中させるためには、請求項３により、ボックス上板が凹曲面状に形成され、コイル上面がボックス上板に沿って傾斜する。
【０００８】
前述の目的を達成するために、コア付きコイルの場合、請求項４により、ボックス上板が電気絶縁性及び非磁性であるボックス内に、前後にボックス上板に向かう側脚部を有し、かつコイルが巻回されたコアを収納し、ボックス底板に第１の通気口を形成すると共に、この通気口にブロワを取付け、ボックス側板に第２の通気口を形成し、コイル及びコアを経由して第１の及び第２の通気口間に空気流路を形成する。
【０００９】
磁束は、ボックス上板に向かう前後の側脚部の端面間で上方へ向けて発生させ得る。ブロワの吸引或は吐出により、ボックス底板及びボックス側板の通気口間にコイル及びその中心コアの周囲を通過する空気流路が形成される。ボックス側板の通気口は、コイルに対面する領域、或はコイルがコア底部に巻回される場合その上方のコアの対面領域に設定するのが効率上好ましい。コア付コイルの場合、空芯コイルに対して、同一コイル電流で磁束を集中させて効率良く刺激できる。
【００１０】
Ｅ形コアの場合、請求項５により、コアが、コイルが巻回された中央脚部を前後の側脚部間に有するＥ形であり、ボックス側板の第２の通気口が少なくともボックス側板の互いの対面領域にそれぞれ形成される。中央脚部及び前後の側脚部間に磁束が発生し、特に中央脚部に磁束を集中させることができる。効率よく空冷するには、請求項６により、第２の通気口の高さ位置が、コイルの高さ位置かもしくはその上方に設定される。コア付きコイルの場合に磁束をさらに効率良く集中させるためには、請求項７により、前後の側脚部が、ボックスからこのボックス上板よりも高い位置に突出する。
【００１１】
強制空冷をさらに効率よく行うには、請求項８により、コイルを構成する導電体が、その全周に隙間を置くように巻回される。コア付きコイルの場合、コイル及びコア間にスペーサを介在させることが考えられる。同様な目的で、請求項９により、コイルに、放射方向へ放熱フィンを取付ける。さらに、コア付きコイルの場合、請求項１０により、コアに、放射方向へ放熱フィンを取付ける。
【００１２】
空冷装置を尿失禁治療装置として構成するには、請求項１１により、ボックス自体が椅子として機能し得るように、ブロワが床面から離間した状態でボックスを床面に据置く脚部をボックス底板に下設する。
【００１３】
椅子組込み式の空冷効率の高い尿失禁治療装置を構成するために、請求項１２により、椅子の脚部及び肘掛けを構成する両側の側部間に取付けられた着座部にボックスを装着し、両側のボックス側板及び対面する側部間にそれぞれダクトを形成すると共に、ダクト底板にブロワを配置し、着座部の両側の側端部に、ダクトに連通する切欠を形成し、側部の前後方向の中間領域におけるブロワの側方領域に、通気用切欠を形成する。
【００１４】
空冷作用をさらに強化するには、請求項１３により、コイルをパイプ状導電体で構成し、この導電体の両端部をボックス側面に接続し、両端部の一方を大気に解放させ、他方にブロワを取付ける。
【００１５】
【発明の実施の形態】
図１乃至図４を基に本発明の実施の形態の一例による尿失禁治療用コイルの空冷装置を説明する。この空冷装置は、図３に示すように、コア２０付きコイル２６を収納して内部で強制空冷を行う直方体状の合成樹脂性のボックス１０として構成される。図２に示すように、コア２０は、方向性珪素鋼板で製作された断面が５×５ｃｍのＪ形コアをＥ形コアとして組合せ、前後の側脚部２３が、中央脚部２１よりも高いことによりボックス上板１１から突出している。中央脚部２１には、導電体２６ａが相互に隙間を置いて、また棒状のスペーサ２５を介して中央脚部２１間に隙間を置いて巻回され、コイル２６を構成している。側脚部２３の端面２３ａは、互いに対向するように斜めに形成されている。コア２０及びコイル２６は、熱放射性を勘案して電気絶縁性の黒色塗料が塗布されている。ボックス１０は、患者の着座領域にセットされる大きさのコア２０の外周に僅かに隙間を置く形状であり、着座可能な形状になっている。
【００１６】
ボックス底板１２の中央領域、即ちコイル２６の下方にはその断面形状に対応する大きさの通気口１２ａが形成され、その外側にボックス１０内の空気を吸引するブロワ１６が取付けられている。中央脚部２１の端面２１ａ及びボックス上板１１間には、耐熱合成樹脂製にスペーサ２１ｂが設けられて５〜１０ｍｍ程度の隙間を安定に維持して空気の流路を確保すると共に、その横方向に両側のボックス側板１３には、コイル２６に対面してその横幅に対応する大きさの通気口１３ａが形成され、その下周面は外方へ向けて大きくなるように傾斜面として形成されている。通気口１３ａの内側は、端面２１ａとボックス上板１１との間隙と略同じ幅であり、外側は約１０〜２０ｍｍである。図２及び図３に示されるように、ブロワ１６により吸引される空気は、両側の通気口１３ａから取り込まれ、コア２１の端面２１ａを冷却する。その後、この空気はスペーサ２５によって設けられたコイル２６とコア２０との間の空間を通ってコイル２６及びコア２０を冷却する。その後、この空気は底板１２の通気口１２ａを通り、ブロワ１６により空冷ボックス１０及び仕切板９の下に排気される。スペーサ２１ｂは、図示よりも幅狭にするか、或は廃止することもできる。
【００１７】
ボックス１０は、例えば奥行５０ｃｍ、横幅及び高さ２０ｃｍの直方体であり、通気口１３ａは横幅２０ｃｍ、縦幅１ｃｍである。コイル２６を構成する可曲性の導電体は、被覆電線、平角銅板、パイプ状銅、或は表皮効果の低減で省電力が期待できるリッツ線であり、断面積は４０〜５００ｍｍ２である。大きな断面積の導電体は束ねて複数本で製作する。尚、通気口１３ａの高さ位置が、コイル２６の高さ位置もしくはその上方に設定するのが好ましい。排気用ブロワ１６の風量は、コイル２６への給電がピーク電流５，０００Ａ、最大消費電力１．５ｋＶＡに対応して約１０ｍ３／分である。
【００１８】
ボックス１０が装着されて尿失禁治療装置を構成する椅子１は、図４に示すように、キャスタ１ｅが下設された脚部４３及び肘掛け４４を備えた両側の側部１ｃ間に着座部１ａを取付け、側部１ｃの後部には開口部４５を形成するように背当て部１ｄを取付けて構成されている。尚、ボックス１０をベッドに装着して尿失禁治療装置を構成することもできる。
【００１９】
板状の着座部１ａは、図１及び図４に示すように、女性の陰核５を挟んだ尿道口３の前部から肛門４の後部に至る範囲の曲面に対応して前後方向に凹面状であり、またクッションシート４１でカバーされ、さらに横方向に中央部で曲面状に隆起する鞍型部１ｂが形成されている。着座部１ａは、横方向の中央領域で側部１ｃよりも前方へ突出すると共に、着座部１ａの両側における通気口１３ａの上方領域には通気口８が形成されている。両側の側部１ｃの下方部分間には仕切り板９が橋渡しされることにより、その中央開口部にブロワ１６を嵌入させ、さらに通気口１３ａが露出されるように、ボックス１０を支持し、着座部１ａの裏面にボックス上板１１を装着させている。ブロワ１６は仕切り板９よりも僅かに下方に突出し、両側の側部１ｃのさらに下方に通気用の切欠７が形成されている。仕切板９は、ブロア１６から排気される熱を帯びた空気をボックス１０の中に入らないように防ぐ機能がある。さらに、ボックス上板１１の端部には、気流を通気口１３ａからボックス１０へガイドするための延長部が形成されている。
【００２０】
患者が、図１に示すように、着座部１ａの鞍型部１ｂに着座し、コイル２６に前述の矩形波もしくは正弦波状パルス電流が給電されると、中央脚部２１の端面２１ａ及び前後の側脚部２３の互いに対向する端面２３ａ間に尿道口３の前側領域から肛門４の後側領域に至る範囲の領域の生体内にコア２０を飽和させることなく集中して磁束が発生され、誘起された大きな渦電流により効率良く刺激される。中央脚部２１が側脚部２３よりも低いことにより、磁束が不要に上方に達することなく有効部位を刺激する。側部１ｃが着座部１ａの前端よりも後退していることにより、大腿部を開いて治療部位を必要範囲に広げることができ、治療効果が向上する。絶縁性及び非磁性を呈する合成樹脂製のボックス上板１１により、磁束がボックス１０内に遮蔽されることはなく、患者の感電も防止される。その際、コイル２６の電気抵抗及び中央脚部２１の渦電流による発熱は、ブロワ１６の吸引により強制空冷される。
【００２１】
即ち、図４において、通気口１３ａからその周囲或は通気口８を通してボックス１０内に吸引された空気は、特に中央脚部２１の近辺を通過して通気口１２ａから仕切り板９の下側へ排気され、その熱風は仕切り板９の周辺或は切欠７を通して放散される。流入外気はスペーサ２５で浮いたコイル２６の全周を通過し、同時に中央脚部２１も冷却され、その端面２１ａの上方の着座部１ａ間の隙間も通気することにより充分に空冷される。ブロワ１６で吸引された空気は下方に向かうのに伴って徐々に加熱されるが、コイル２６の生体に近い上方部分が相対的に冷たい空気で効率良く冷却される。ボックス１０の両側には、その横方向のボックス側板１３、側部１ｃ、着座部１ａ及び仕切り板９により前後方向のダクト９ａが形成され、その前後端から通気口１３ａへ流入する空気流路が形成され、ボックス側板１３の冷却作用が得られる。ブロワ１６の排気は仕切り板９及び側部１ｃにより遮蔽され、温風が通気口１３ａに循環するのが大幅に抑制される。
【００２２】
これにより、治療時間１５分の間、外気温度が２８℃以下であれば、コイル２６は４０℃以下、着座部１ａは３０℃以下に保持できることが確認されており、低温やけども確実に回避できる。椅子１が部屋の隅に置かれた場合でも、切欠７の存在により熱風の滞留による温度上昇を充分回避できる。
【００２３】
尚、前述のボックス側板１３の両側に形成されるダクト９ａの後端部又は前端部に、ブロワを追加することにより冷却作用をさらに強化することもできる。また、ボックス底板１２は、仕切り板として機能し得るように面積を拡大することにより仕切り板９を廃止することもできる。
【００２４】
図５は、着座し得る形状のボックス１０自体を椅子式の尿失禁治療装置用として機能させる実施の形態を示す。ボックス底板１２の四隅に、ブロワ１６を床面から離間させた状態でボックス１０を床面に据置くための脚部３０が下設されている。ボックス側板１３の通気口１３ａの下縁には、この通気口が着座により塞がれるのを防止し、また通気口１３ａ及びブロワ１６間の温風流路を遮断するためのひさし３１が形成されている。このひさしは、同様に温風流路を遮断するようにボックス底板１２に形成することもできる。この装置の場合、側脚部２３の端面２３ａが直接股間の生体部位に接触もしくは近接するため、温度上昇の点で必要により、治療時間を長くするのを前提にコイル２６への供給電力を減らすこともできる。
【００２５】
図６Ａはコア付きコイル用の別の実施の形態を示すもので、治療部位の曲率に対応した凹曲面状のボックス上板５１を備えたボックス５０内に、前後の側脚部５５ａの上端部にコイル５６がその導電体間に隙間を置き、さらに間欠的に挿入されるスペーサ５７を介して巻回されたＣ字形コア５５が収納されている。ボックス底板５２に通気口５２ａが形成されると共に、その外側にブロワ１６が取付けられ、前後のボックス側板５３におけるコイル５６の対面領域に、通気口５３ａが形成されている。前後の側脚部５５ａの端面５５ｂは、ボックス上板５１に対して５〜１０ｍｍ程度の隙間を置いて沿うことにより傾斜して互いに対向している。
【００２６】
ブロワ１６の吸引により外気が通気口５３ａから流入し、コイル５６の全周が外気流に曝され、またボックス上板５１間の隙間を通っても流入し、通気口５２ａから排気される。ボックス５０は、脚部を下設したり、或は位置決め用に背当て部を上設して椅子式治療装置として構成するか、或は別途に製作された椅子の着座部への装着用として構成することができる。尚、Ｃ字形コア５５に代えて、同様に前後の側脚部がボックス上板に向かうＵ字形コアを用いることも可能である。
【００２７】
このＣ字形コア５５の場合、磁束が、図１で説明したＥ形コア２０では女性の陰核５の近辺に集中するのに対して肛門４或は尿道口３の近辺に集中する。したがって、前述のＥ形コアの前後の側脚部２３にもコイルを巻回しておき、刺激部位を選択したり或は体形の相違に対応するために、スイッチにより中央脚部２１のコイル２６と選択的に給電させることもできる。同様に、コスト面を甘受するならば、その他の磁束発生位置の異なるコア付きコイル或は空芯コイルを複数個用意して、刺激部位或は体形に応じて選択的に給電することもできる。
【００２８】
さらに、図６Ｂに示すように、スペーサ５７に代えて、コイル５６を保持する溝を備え、かつこのコイル及びコア５５の放熱を行う放熱フィン５７ａをコア５５に放射方向に複数枚取付けることも考えられる。放熱フィン５７ａの材質は、コイル５６及びコア５５が絶縁性であることを前提にアルミ、銅等の放熱性の優れた金属、反磁性の金属、或はカーボン等にする。厚みは渦電流を防止するために薄いのが好ましく、形状は放熱効率の点でブロア流の下端位置まで充分な温度勾配が生じる程度に下方へ延ばして大きな面積にするのが好ましい。さらに、コア５５に凹凸を形成して放熱面積を大きくすることもできる。一方、コイル２６の材料は、前述したように被覆電線、平角銅版、パイプ状銅、或はリッツ線等で良い。
【００２９】
図７はコア付きコイル用のさらに別の実施の形態を示すもので、直方体状のボックス６０内に、底部にコイル６６が導電体間及びコア６５に対して隙間を置いて巻回されたＣ字形コア６５を収納し、ボックス底板６２におけるコイル６６の下方領域に通気口（図示せず）を形成すると共に、この通気口の外側にブロワ（図示せず）が取付ける。前後の側脚部６５ａの上端部はボックス上板６１から突出し、その端面は傾斜して互いに対向している。横方向のボックス側板６３におけるコイル６６の上方領域には、通気口６３ａが形成されている。この通気口から流入した外気は、コイル６６及びコア６５を生体に近い上方から空冷し、直下位置の通気口から吸引により排気される。構造も簡単なため、大きな刺激を必要としない小型装置として好適である。尚、ブロワは、近くのコイル６６に向けて吹付ける吐出式にすることも考えられる。前後の側脚部６５ａは、ボックス６０の奥行寸法を狭くすることにより前後のボックス側板６３からボックス上板６１よりも高い位置に突出させても良い。
【００３０】
図８は空芯コイル用の実施の形態を示すもので、縦長直方体状のボックス７０に、黒色の絶縁被覆された導電体７６ａが隙間を置いてボックス底板７２に向けてソレノイド状に巻回されたコイル７６が、その放射方向に複数枚の黒色に絶縁塗装されたアルミ製の放熱フィン７８に両側から挟持されて収納されている。横方向のボックス側板７３の上方部分には、コイル７６に対面し、かつその直径に相当する幅の通気口７３ａが形成されている。この通気口から流入した空気は空芯部７６ｂ及び放熱フィン７８間を通って相互に隙間を有するコイル７６を空冷し、通気口７２ａから排気される。放熱フィン７８は、磁束方向に沿って配列されることにより渦電流による発熱は微小になる。空芯コイルにより、コア付きに較べて効率は低下するが、入力電力を抑制して治療時間を相応に長くすれば良い。パルス幅が一定の場合、腹圧性尿失禁に対して有効な２０〜５０Ｈｚ程度の刺激周波数ではコア付きに較べて低効率のために消費電力が大きくなるが、５〜１０Ｈｚ程度の特に切迫性尿失禁の治療に対しては妥当な消費電力及び温度上昇下で使用できる。コア無しで軽量化され、家庭用の治療装置としても好適に構成できる。尚、放熱フィン７８は、通気口７２ａに向けてさらに下方へ延ばして温度勾配を大きくしたり、或は磁束を乱さないように薄板状磁性体にすることもできる。
【００３１】
図９は空芯コイルの別の実施の形態を示すもので、凹曲面状に形成されたボックス上板８１を備えたボックス８０に、ボックス底板８２に向けて中心部に空芯部を有するように巻回された２ターン３層のコイル８６が収納されている。このコイルは、支持機能を兼ねた放射方向に複数枚の放熱フィン８８の溝に導電体の全周に隙間を形成するようにセットされている。前後のボックス側板８３の上方部分に形成された通気口８３ａから流入した外気は、放熱フィン８８に沿ってコイル８６を構成する導電体の全周を冷却して、その空芯部の下方に位置するボックス底板８２の通気口８２ａから強制排気される。コイル８６の前側の上面及び後側の上面が、ボックス上板８１にそれぞれ沿って互いに傾斜して対向することにより生体に接近し、図８のボックス７０に較べて効率を高くできる。
【００３２】
図１０は空芯コイル用のさらに別の実施の形態を示すもので、図９のボックス８０に対してボックス側板８３ｂを高くした形状のボックス８０ａに、１層で巻線方向がＵ字形のコイル８６ａが収納されている。巻回始端側の上面８６ｂ及び巻回終端側の上面８６ｃは、ボックス上板８１に沿って互いに対向し、磁束を肛門及び尿道口近辺に集中させる。図６の装置に較べて刺激が小さくなり、したがって治療時間を長くする小型装置用、特に切迫性尿失禁の治療用として適している。
【００３３】
図１１はパイプ状導電体を巻回したコイルを冷却する尿失禁治療装置の実施の形態を示すもので、パイプで構成された脚部を有する椅子９０の着座部９１に、例えば図７で説明したボックス６０が取付けられ、前後の側脚部６５ｂは僅かに着座部９１から突出している。コイル６６は銅製パイプの導電体で構成され、その両端部は後側のボックス側板６３に案内されて給電線９９に接続している。また、コイル６６の一方の端部９３は大気へ解放され、他方の端部にはブロア９７が取付けられている。通気口６３ａの下縁にはひさし９４が形成され、通気口６３ａの上方の着座部９１の領域には切欠９２が形成されている。これにより、通気口６３ａにはブロワ１６の吸引で外気が側方及び上方から流入し、コイル６６はボックス６０内で空冷されると共に、ブロワ９７から外気がパイプ状導電体内に送風されて、その内部を循環して排気されることによっても強制空冷される。
【００３４】
【発明の効果】
請求項１乃至請求項１０の発明によれば、空芯コイル又はコア付きコイルをボックス内でブロアにより発生される外気流に曝すことにより、コイル及びコアに対して効率良く強制空冷が行われる。
【００３５】
請求項１１又は請求項１２の発明によれば、ボックスを用いたコイルの空冷装置が、それ自体で又は椅子に組込むことにより簡単に尿失禁治療装置として構成される。
【００３６】
請求項１３の発明によれば、コイルをパイプ状導電体で構成してその内部を外気で強制空冷することにより、一層強力な強制空冷装置が実現される。
【図面の簡単な説明】
【図１】本発明の実施の形態による尿失禁治療用コイルの空冷装置の前後方向の断面図である。
【図２】同空冷装置のボックス内に収納されたコア付きコイルの斜視図である。
【図３】同ボックスの断面図である。
【図４】同ボックスが尿失禁治療装置として組込まれた椅子の斜視図である。
【図５】同ボックスを用いた別の実施の形態による尿失禁治療装置としての椅子の断面図である。
【図６】コア付きコイル用の別の実施の形態による空冷装置を示すもので、同図Ａはその断面図、同図Ｂはその変形した形態の断面図である。
【図７】コア付きコイル用のさらに別の実施の形態による空冷装置の斜視図である。
【図８】本発明の空芯コイル用の実施の形態による空冷装置の断面図である。
【図９】空芯コイル用の別の実施の形態による空冷装置を示すもので、同図Ａは断面図、同図Ｂは斜視図である。
【図１０】空芯コイル用のさらに別の実施の形態によるボックスの断面図である。
【図１１】本発明のパイプ状導電体を巻回したコイル用の実施の形態による空冷装置を示すもので、同図Ａは斜視図、同図Ｂは背面図である。
【符号の説明】
１ａ、９１  椅子の着座部
１ｃ  椅子の側部
８、１２ａ、１３ａ、５２ａ、５３ａ、６２ａ、６３ａ、７２ａ、７３ａ、８２ａ、８３ａ  通気口
１０、５０、６０、７０、８０、８０ａ  ボックス
１１、５１、６１、７１、８１  ボックス上板
１２、５２、６２、７２、８２  ボックス底板
１３、５３、６３、７３、８３、８３ｂ  ボックス側板
１６、９７  ブロワ
２０、５５、６５  コア
２１  中央脚部
２３、５５ａ、６５ａ、６５ｂ  側脚部
２６、５６、６６、７６、８６、８６ａ  コイル
３１、６４  ひさし
５７ａ、７８、８８  放熱フィン
【図１】
0004221688.tif 000002
【図２】
0004221688.tif 000003
【図３】
0004221688.tif 000004
【図４】
0004221688.tif 000005
【図５】
0004221688.tif 000006
【図６】
0004221688.tif 000007
【図７】
0004221688.tif 000008
【図８】
0004221688.tif 000009
【図９】
0004221688.tif 000010
【図１０】
0004221688.tif 000011
【図１１】
0004221688.tif 000012